(57)【要約】【課題】音声送受信機能を有するリモコン装置を提供する。【解決手段】リモコン装置１は制御回路１１を有し、制御回路１１は無線送受信装置１２、デジタル／アナログ変換器１３および複数のキースイッチ１１１と接続され、デジタル／アナログ変換器１３にはアンプ装置３が接続され、リモコン装置１は複数のキースイッチ１１１を押すことによって電子製品２を操作でき、無線送受信装置１２を利用することによって、電子製品２から送信される音声信号を受信し、接続されたアンプ装置３から音声信号を再生させることができ、リモコン装置１は携帯型音声再生装置として使用できる。【選択図】  図１
0003118654.tif 000002
【実用新案登録請求の範囲】
【請求項１】
制御回路を有し、前記制御回路には信号の送信および受信を行なう無線送受信装置と、制御信号を発信するキースイッチとがそれぞれ接続されており、
前記制御回路には、デジタル／アナログ変換器が接続され、前記デジタル／アナログ変換器にはアンプ装置が接続され、リモコン装置は電子製品から発信される音声信号を受信し、デジタル／アナログ変換器に接続されたアンプ装置を通じて音声信号を再生することを特徴とするリモコン装置。
【請求項２】
制御回路を有し、前記制御回路には信号の送信および受信を行なう無線送受信装置と、制御信号を発信するキースイッチとがそれぞれ接続されており、
前記制御回路には、デジタル／アナログ変換器が接続され、前記デジタル／アナログ変換器がアンプ装置と接続されたとき、前記制御回路はリモコン装置に設置された無線送受信装置を通じて電子製品に接続信号を送信し、電子製品が設置された無線送受信装置を通じて前記接続信号を受信したとき、前記電子製品に設置されたマイクロコントローラは接続されたアンプ装置が音声信号を再生するのを停止させ、音声信号は継続して電子製品に設置された無線送受信装置を通じてリモコン装置に送信され、リモコン装置は接続されたアンプ装置を通じて音声信号を再生することを特徴とするリモコン装置。
【請求項３】
前記デジタル／アナログ変換器とアンプ装置との間には、接続インターフェースが設置され、前記デジタル／アナログ変換器にはマイクが接続されていることを特徴とする請求項１または２記載のリモコン装置。
【請求項４】
前記アンプ装置は、イヤホンまたはスピーカであることを特徴とする請求項１または２記載のリモコン装置。
【請求項５】
前記リモコン装置上は、指標を記すための指標制御装置となっていることを特徴とする請求項１または２記載のリモコン装置。
【考案の詳細な説明】
【技術分野】
【０００１】
本考案はリモコン装置に関し、特に電子製品から発信される音声信号を受信でき、音声信号を再生する機能を有するリモコン装置に関する。
【背景技術】
【０００２】
日常生活をより便利にするために、多くの電子製品が開発され、その機能を最大に発揮させるためにリモコン装置が誕生した。現在は情報装置（略称ＩＡ）が盛んな時代であり、リモコン装置の機能も益々多機能化され、単純に電子製品の操作を行なう以外に複数の機器の操作を行なうことができるようにもなっているが、従来技術によるリモコン装置は単なる信号伝送における改良を行なっただけであり、その他の機能は備わっていない。
【０００３】
また、多くの電子製品はリモコン操作の基本的な機能を有するが、リモコン操作の基本的な機能では現代人の要求を満たすことはできない。そこで、上述の欠点を解決するために、特許文献１のノートブックパソコンの無線リモコン装置などのコンピュータ周辺装置に関する発明がなされた。しかし、上述の無線リモコン装置はリモコン装置とマウスとを組合わせただけのものであり、それ以上の機能は無く、利便性を高めることはできるが、現代人の要求を完全に満たすことはできない。
【０００４】
一般の住居には客間、台所、寝室などの数個の部屋が存在し、音楽が聴きたいときは上述の部屋に電子製品を設置するか、スピーカの音を大きくする必要がある。しかし、多くの電子製品を設置する場合、多くの費用がかかり、スピーカの音を大きくする場合、他人に迷惑を掛けることがある。
【０００５】
また、電子製品の多くはイヤホンまたはスピーカを接続して使用するが、電子製品は全て決まった場所に固定されており、携帯することはできなかった。この問題を解決するために、ＭＤ、ＭＰ３などを聴く携帯型の再生装置が開発され、軽量、薄型の本装置は携帯に便利であるが、その機能は限られ、ＣＤやテープなどの多種のメディアを再生することはできない。
【０００６】
そこで、リモコン装置における上述の問題と欠点を如何に解決するかはこの業種に従事するものの研究目標であった。
【特許文献１】台湾専利公告第５０６５８０号
【考案の開示】
【考案が解決しようとする課題】
【０００７】
本考案の第１の目的は、リモコン装置に接続された無線送受信装置を利用することによって、リモコン装置は電子製品から発信される音声信号を受信でき、制御回路に接続されたデジタル／アナログ変換器を利用することによって、音声信号をリモコン装置に接続されたアンプ装置から再生することができ、使用者は一定の距離内において、電子製品から発信される音声信号をアンプ装置を通じて再生でき、使用コストが安く、消費者の購買意欲を掻き立てることができるリモコン装置を提供することにある。
【０００８】
本考案の第２の目的は、リモコン装置の無線送受信装置を利用することによって、接続された電子製品に接続信号を送信して電子製品に音声信号を再生するのを停止させ、音声信号を無線送受信装置を通じてリモコン装置に伝送し、リモコン装置はこの音声信号をアンプ装置を通じて再生できるので、使用者は電子製品の音量を大きくしなくても音声信号を聴くことができ、使用者と電子製品との距離が長いために音量を大きくし過ぎて他人に迷惑を掛けるという状況が発生しないリモコン装置を提供することにある。
【課題を解決するための手段】
【０００９】
上記課題を解決するために、本考案は、以下の特徴を有するリモコン装置を提供する。
１．請求項１に記載のリモコン装置は、制御回路を有し、前記制御回路には信号の送信および受信を行なう無線送受信装置と、制御信号を発信するキースイッチとがそれぞれ接続されており、前記制御回路には、デジタル／アナログ変換器が接続され、前記デジタル／アナログ変換器にはアンプ装置が接続され、リモコン装置は電子製品から発信される音声信号を受信し、デジタル／アナログ変換器に接続されたアンプ装置を通じて音声信号を再生することを特徴とする。
２．請求項２に記載のリモコン装置は、制御回路を有し、前記制御回路には信号の送信および受信を行なう無線送受信装置と、制御信号を発信するキースイッチとがそれぞれ接続されており、前記制御回路には、デジタル／アナログ変換器が接続され、前記デジタル／アナログ変換器がアンプ装置と接続されたとき、前記制御回路はリモコン装置に設置された無線送受信装置を通じて電子製品に接続信号を送信し、電子製品が設置された無線送受信装置を通じて前記接続信号を受信したとき、前記電子製品に設置されたマイクロコントローラは接続されたアンプ装置が音声信号を再生するのを停止させ、音声信号は継続して電子製品に設置された無線送受信装置を通じてリモコン装置に送信され、リモコン装置は接続されたアンプ装置を通じて音声信号を再生することを特徴とする。
３．請求項３に記載のリモコン装置は、請求項１または２の場合において、
前記デジタル／アナログ変換器とアンプ装置との間には、接続インターフェースが設置され、前記デジタル／アナログ変換器にはマイクが接続されていることを特徴とする。
４．請求項４に記載のリモコン装置は、請求項１または２の場合において、
前記アンプ装置は、イヤホンまたはスピーカであることを特徴とする。
５．請求項５に記載のリモコン装置は、請求項１または２の場合において、
前記リモコン装置上は、指標を記すための指標制御装置となっていることを特徴とする。
【考案の効果】
【００１０】
制御回路が接続インターフェースにアンプ装置が接続されていることを感知したとき、制御回路は無線送受信装置を通じて電子製品に接続信号を発信し、電子製品は音声信号を継続して無線送受信装置を通じてリモコン装置に設置した無線送受信装置に送信する。また、無線送受信装置はその音声信号を制御回路を通じてデジタル／アナログ変換器に伝送し、デジタル／アナログ変換器を通じてこの音声信号をアナログ信号へと変換し、アンプ装置から再生する。使用者はリモコン装置によって一定の範囲内において電子製品から送信される音声信号を受信でき、設置されたアンプ装置にリモコン装置を接続して音声を再生させることができる。使用者は電子製品の音量を大きくしなくても音声信号を聴くことができるので、使用者と電子製品との距離が長いために音量を大きくし過ぎて他人に迷惑を掛けるという状況が発生しない。また、電子製品の設置場所に制限を与えることがなく、新たに電子製品を購入する必要もない。携帯して使用できるリモコン装置に音声再生装置機能が加わった装置であり、さらに電子製品の各機能に伴ってリモコン装置の機能を増やすことができ、コストも安く、消費者の購買意欲を掻き立てることができる。
【００１１】
リモコン装置に接続された無線送受信装置を利用することにより、使用者は一定の範囲内において、電子製品から送信される音声信号を受信でき、リモコン装置に接続されたアンプ装置を利用することによって、電子製品から送信される音声信号を聴くことができる。また、複数のアンプ装置を設置してリモコン装置と接続して使用でき、リモコン装置内の制御回路と接続されたキースイッチを利用して切換を行い、一定の範囲内において電子製品から送信される信号を受信し、特定のアンプ装置からその音声信号を再生することができる。
【００１２】
リモコン装置と接続されたマイクを利用することによって、マイクが受信した音声信号を電子製品に伝送でき、リモコン装置の機能をより高めることができる。
【考案を実施するための最良の形態】
【００１３】
本考案の目的、特徴および効果を示す実施例を図に沿って詳細に説明する。
図１は本考案の第１の実施例を示すブロック図であり、図１から分かるように、本考案のリモコン装置１は制御回路１１、無線送受信装置１２およびデジタル／アナログ変換器から構成される。
【００１４】
制御回路１１には複数のキースイッチ１１１が接続され、使用者が各キースイッチ１１１を押すことによって制御回路１１に制御信号が発信される。
【００１５】
無線送受信装置１２は上述の制御回路１１に接続され、無線送受信装置１２はキースイッチ１１１を押すことによって発信された制御信号を電子製品２に設置された無線送受信装置２２に送信することができる。
【００１６】
デジタル／アナログ変換器１３は制御回路１１に接続され、デジタル／アナログ変換器１３にはアンプ装置３が接続される接続インターフェース１３１が接続されている。
【００１７】
制御回路１１が接続インターフェース１３１にアンプ装置３が接続されていることを感知したとき、制御回路１１は無線送受信装置１２を通じて電子製品２に接続信号を送信し、電子製品２は音声信号を継続して無線送受信装置２２を通じてリモコン装置１に設置した無線送受信装置１２に送信する。また、無線送受信装置１２はその音声信号を制御回路１１を通じてデジタル／アナログ変換器１３に伝送し、デジタル／アナログ変換器１３を通じてこの音声信号をアナログ信号へと変換し、アンプ装置３を通じて再生する。使用者はリモコン装置１によって一定の範囲内において電子製品２から送信される音声信号を受信でき、複数のアンプ装置３を設置し、特定のアンプ装置３にリモコン装置１を接続して音声を再生させることができる。
【００１８】
また、制御回路１１が接続インターフェース１３１からアンプ装置３が取り外されたことを感知したとき、制御回路１１は無線送受信装置１２を通じて電子製品２に取り外し信号を送信し、電子製品２に音声信号の送信を停止させる。
【００１９】
また、電子製品２に設置された無線送受信装置２２がリモコン装置１から送信された接続信号を受信したとき、マイクロコントローラ２１は接続されたアンプ装置２３が音声信号を再生するのを停止させ、音声信号を無線送受信装置２２を通じてリモコン装置１に伝送し、リモコン装置１は接続されたアンプ装置３を利用して音声信号を再生できる。制御回路１１がアンプ装置３が接続インターフェース１３１から取り外されたことを感知したとき、制御回路１１は無線送受信装置１２を通じて電子製品２に取り外し信号を送信し、電子製品２に音声信号をリモコン装置１に送信するのを停止させる。電子製品２に接続された再生装置２３は音声信号を再生する状態へと戻り、この方式を利用することによって、リモコン装置の利便性を高めることができる。
【００２０】
デジタル／アナログ変換器１３にはさらにマイクを接続することができる。また、アンプ装置３はスピーカまたはイヤホンでもよい。
【００２１】
リモコン装置１には複数のキースイッチ１１１が設けられ、リモコン装置１はキースイッチ１１１を操作することによって、電子製品２または電子製品２のモニター上のカーソルを制御できる。
【００２２】
図２は本考案の第２の実施例を示すブロック図である。図から分かるように、デジタル／アナログ変換器１３にマイク４を接続したとき、使用者はマイク４を利用して音声を入力でき、この音声はデジタル／アナログ変換器１３を通じてデジタル信号に変換され、制御回路１１に伝送され、制御回路１１に接続された無線送受信装置１２を通じて電子製品２へと伝送され、電子製品２に接続された再生装置２３にこの音声信号を再生させることができる。
【００２３】
また、使用者がリモコン装置１に設置されたキースイッチ１１１を押して録音を行なうとき、リモコン装置１は電子装置２に録音信号を送信し、このとき、電子製品２はリモコン装置１から送信される音声信号を継続して受信し、音声信号を保存する。
【００２４】
上述の詳細な説明は、本考案の好適な実施例を示すものであり、本考案の範囲を限定するものではなく、本考案の主旨を逸脱しない範囲における変更や修飾などは全て本考案の範囲に含まれる。
【図面の簡単な説明】
【００２５】
【図１】本考案の第１の実施例を示すブロック図である。
【図２】本考案の第２の実施例を示すブロック図である。
【符号の説明】
【００２６】
１    リモコン装置
１１  制御回路
１１１  キースイッチ
１２  無線送受信装置
１３  デジタル／アナログ変換器
１３１  接続インターフェース
２    電子製品
２１  マイクロコントローラ
２２  無線送受信装置
２３  再生装置
３    アンプ装置
４    マイク
【図１】
0003118654.tif 000003
【図２】
0003118654.tif 000004